(57)【特許請求の範囲】
【請求項１】
アクティブな送信インターバルとアクティブでない送信インターバルとを有する通信プロトコルを実施する送信機と、
アクティブな送信インターバル中に前記送信からの妨害を受けやすい受信動作を実施する受信機と、
前記アクティブな送信インターバルを予想し、前記アクティブな送信インターバル中に制御信号を発生する制御ロジックと、
前記制御信号に応じて、アクティブな送信インターバル中に、前記受信機の入力信号に対して該アクティブな送信インターバルの開始前に適用されていた利得を維持する自動利得制御モジュールと、
を備えた、通信デバイスの動作を維持するためのシステム。
【請求項２】
直流信号を発生する、前記送信機に応答自在な整流器と、 前記直流信号に応答し、デジタル信号を発生し、該デジタル信号を制御ロジックに提供するアナログ−デジタルコンバータとを備えた、請求項１記載のシステム。
【請求項３】
前記制御ロジックが、 前記アクティブな送信インターバルを予想するコンピュータで読み取り可能なプログラムコード手段を有する、コンピュータで読み取り可能な記憶媒体と、 前記制御信号を発生する、前記コンピュータで読み取り可能なプログラムコード手段に応答自在なプロセッサとを含む、請求項１記載のシステム。
【請求項４】
前記受信機の入力端に適用される利得が、前記アクティブな送信インターバル中に低下するのを防止する、前記制御信号に応答自在な自動利得制御装置を更に含む、請求項１記載のシステム。
【請求項５】
前記受信機を前記送信機から電気的にアイソレートする、前記制御信号に応答自在なスイッチを更に含む請求項１記載のシステム。
【請求項６】
前記受信機とアンテナとの間に直列に前記スイッチが接続されている、請求項５記載のシステム。
【請求項７】
前記受信機に電気的に接続されているアンテナとアースとの間に前記スイッチが接続されている、請求項５記載のシステム。
【請求項８】
前記受信機が全地球測位システム（ＧＰＳ）受信機である、請求項１記載のシステム。
【請求項９】
前記受信機がブルートゥース受信機である、請求項１記載のシステム。
【請求項１０】
前記通信プロトコルがＴＤＭＡ無線アクセス技術に基づくものである、請求項１記載のシステム。
【請求項１１】
アクティブな送信インターバルとアクティブでない送信インターバルとを有する通信プロトコルを実施する送信機を設ける段階と、
アクティブな送信インターバル中に前記送信からの妨害を受けやすい受信動作を実施する受信機を設ける段階と、
前記アクティブな送信インターバルを予想する段階と、
前記予想する段階に応じて、アクティブな送信インターバル中に、前記受信機の入力信号に対して該アクティブな送信インターバルの開始前に適用されていた利得を維持する段階と
を備えた、通信デバイスの動作を維持する方法。
【請求項１２】
前記不感状態にする段階が、 前記受信機の入力端に適用される利得が低下するのを防止することを含む、請求項１１記載の方法。
【請求項１３】
前記不感状態にする段階が、 前記受信機を前記送信機から電気的にアイソレートすることを含む、請求項１１記載の方法。
【請求項１４】
前記アイソレートする段階が、 前記受信機を、この受信機に電気的に接続されているアンテナから切り離すことを含む、請求項１３記載の方法。
【請求項１５】
前記アイソレートする段階が、 前記受信機に電気的に接続されているアンテナをアースすることを含む、請求項１３記載の方法。
【請求項１６】
前記予想する段階が、 前記送信機が発生するアナログ信号をデジタル信号に変換する段階と、 前記アクティブな送信インターバルを識別する制御信号を前記デジタル信号に応答して発生する段階とを備えた、請求項１１記載の方法。
【請求項１７】
前記通信プロトコルがＴＤＭＡ無線アクセス技術に基づくものである、請求項１１記載の方法。
【請求項１８】
アクティブな送信インターバルとアクティブでない送信インターバルとを有する通信プロトコルを実施する送信機を設けるための手段と、
アクティブな送信インターバル中に前記送信からの妨害を受けやすい受信動作を実施する受信機を設けるための手段と、
前記アクティブな送信インターバルを予想するための手段と、
前記予想するための手段に応じて、アクティブな送信インターバル中に、前記受信機の入力信号に対して該アクティブな送信インターバルの開始前に適用されていた利得を維持する手段と
を備えた、通信デバイスの動作を維持するためのシステム。
【請求項１９】
不感状態にするための前記手段が、 前記受信機の入力端に適用される利得が低下するのを防止するための手段を含む、請求項１８記載のシステム。
【請求項２０】
不感状態にするための前記手段が、 前記受信機を前記送信機から電気的にアイソレートするための手段を含む、請求項１８記載のシステム。
【請求項２１】
アイソレートするための前記手段が、 前記受信機を、この受信機に電気的に接続されているアンテナから切り離すための手段を含む、請求項２０記載のシステム。
【請求項２２】
アイソレートするための前記手段が、 前記受信機に電気的に接続されているアンテナをアースするための手段を含む、請求項２０記載のシステム。
【請求項２３】
前記予想する手段が、 前記送信機が発生するアナログ信号をデジタル信号に変換するための手段と、 前記アクティブな送信インターバルを識別する制御信号を前記デジタル信号に応答して発生するための手段とを備えた、請求項１８記載のシステム。
【請求項２４】
前記受信機が全地球測位システム（ＧＰＳ）受信機である、請求項１８記載のシステム。
【請求項２５】
前記受信機がブルートゥース受信機である、請求項１８記載のシステム。
【請求項２６】
前記通信プロトコルがＴＤＭＡ無線アクセス技術に基づくものである、請求項１８記載のシステム。
【発明の詳細な説明】
【０００１】
（発明の分野）
本発明は、一般的には通信の分野に関し、より詳細には、送信機と受信機とが同じ位置に設けられており、送信機が受信機の動作を妨害し得るような通信デバイスに関する。
【０００２】
（発明の背景）
無線通信機は、音声通話、データ通信、ファックス送信、インターネットアクセス、ページングおよびその他のパーソナルオーガニゼーション機能、カレンダー管理または全地球測位システム（ＧＰＳ）を介した走行指示を行うために、使用数が依然として増大している。ＧＰＳとは地球上の位置を計算するために基準ポイントとして使用される衛星の配座に基づく世界的な規模のナビゲーションシステムである。より詳細には、ＧＰＳは特定の衛星から送信されるＧＰＳ信号の到達時間を使って、これら衛星までの距離をＧＰＳ受信機が決定する、「三角測量」で知られる技術を使用するものである。送信衛星までの距離を測定する外に、受信機は宇宙における送信衛星の位置を示す情報をＧＰＳ信号からも得ることができる。最終的に、受信機はＧＰＳ信号が大気中を通過する際に受け得る遅延時間を訂正できる。
【０００３】
本明細書で使用する「無線通信機」なる用語はセルラーマルチラインディスプレイを備えたセルラー無線電話と、セルラー無線電話とデータ処理とファックスおよびデータ通信機能とを組み合わせできるパーソナル通信システム（ＰＣＳ）ターミナルと、パーソナル無線電話、ページャー、インターネット／イントラネットアクセス、ウェブブラウザ、オーガナイザー、カレンダーおよび／またはＧＰＳ受信機を含むことができるパーソナルデジタルアシスタント（ＰＤＡ）と、無線電話受信機を含む従来のラップトップおよび／またはパームトップ受信機とを含むことができる。無線通信機を「拡散演算」デバイスと称すこともできる。
【０００４】
セルラー無線電話と、例えばＧＰＳ受信機の双方を含む無線通信機はセルラー電話の送信回路とＧＰＳ受信回路との間の干渉を受けやすい。図１を参照すると、この図にはＧＰＳ受信機２４とセルラートランシーバ２６とが同じ位置に設けられた無線通信機２２が示されている。無線通信機２２は比較的小さく、ＧＰＳアンテナ２８とセルラーアンテナ３２との分離距離は最小であるので、セルラートランシーバー２６から送信される無線周波数（ＲＦ）信号がセルラーアンテナ３２からＧＰＳアンテナ２８へ結合することは異常なことではない。この結果、このようなセルラートランシーバー２６からの望ましくない妨害（干渉）によりＧＰＳ受信機２４の動作が不能となることがある。
【０００５】
セルラートランシーバ２６が送信を行っている間にＧＰＳ信号の受信および復号化が妨害される外に、セルラートランシーバ２６がアイドルモードまたは受信モードにある間、ＧＰＳ受信機２４の動作が乱されることもある。図１に示されるように、ＧＰＳアンテナ２８を介して受信された信号の利得をＧＰＳ受信機２４が処理するのに適したパワーレベルまで調節するのに、一般に自動利得制御（ＡＧＣ）モード３４が使用される。しかしながら、セルラーアンテナ３２からＧＰＳアンテナ２８へがＲＦ信号が結合することによって一般にＧＰＳ受信機２４の入力端へ印加される信号強度が大きくなる。従って、ＡＧＣモジュール３４はセルラートランシーバ２６が送信する際に乗算器３６に適用される利得が低下することがある。セルラー受信機２６が実施する特定の通信プロトコルによってセルラートランシーバ２６がアイドルモードまたは受信モードに変化すると、ＡＧＣモジュール２４によって定められている利得がＧＰＳ受信機２４の入力端に適当な信号パワーレベルを提供するのに不十分となることがある。従って、ＡＧＣモジュール３４はＧＰＳアンテナ２８からの信号の、より低いパワーレベルに応答して利得を大きくするが、最終的にセルラートランシーバ２６は送信モードに戻り、このサイクルを繰り返すことがある。
【０００６】
従って、ＧＰＳ受信機２４とセルラートランシーバ２６とが同じ位置にある時に、ＧＰＳトランシーバ２４の動作を維持することが困難となることがある。セルラートランシーバ２６が送信する際に、送信信号はＧＰＳ受信機２４によるＧＰＳ信号の受信および復号化を妨害することがある。セルラートランシーバ２６がアイドル中、またはセルラー信号を受信している時に、ＧＰＳ受信機２４で受信されるＧＰＳ信号は，復号化するには過度に微弱となり得る。その理由は、セルラートランシーバ２６によって送信される信号からの先の妨害により、ＡＧＣモジュール３４による利得は通常の作動値から低下しているからである。
【０００７】
同じ位置に設けられている送信機からの妨害にも拘わらず、受信機の動作を維持できる改良された通信デバイスが求められている。
【０００８】
（発明の概要）
従って、本発明の目的は、受信機と送信機とが同じ位置に設けられており、受信機が送信機からの妨害を受けやすい、通信デバイスを改良することにある。
【０００９】
本発明の別の目的は、周期的な送信インターバル中に、同じ位置に設けられている送信機からの妨害を受ける通信デバイスにおいて、受信機の動作を維持するのに使用できるシステムおよび方法を提供することにある。
【００１０】
本発明の上記およびそれ以外の目的、利点および特徴は、送信機がアクティブ（例えば送信中）であるインターバルを予想し、このインターバルの間、受信機を不感状態にすることにより送信機からの妨害を受けやすい、通信デバイス内の送信機と同一位置に設けられた受信機の動作を維持するのに使用できるシステムおよび方法によって提供できる。周期的に不感状態とすることにより前記受信機は低い能力でしか作動できないが、送信機が発生する信号による妨害の悪影響を回避できる。例えば、送信機からの妨害は受信機の入力端においてＡＧＣモジュールが定める利得のような変数を正常な作動値、すなわち定常状態の値から変位し得るが、送信機からの妨害が終了した時にこの定常状態の値を回復させなければならない。
【００１１】
本発明の図示した実施例によれば、送信機が発生する信号をモニタするのに、制御ロジックが使用される。制御ロジックは、上記信号をモニタすることにより、送信インターバルの開始を予想し、送信機がアクティブであるか、または送信中であるインターバルを識別するか、またはこのインターバルに対応する制御信号を発生できる。次に、この制御信号は自動利得制御モジュールへ供給され、第２受信機の入力端に適用される利得を、その現在のレベル以上に維持する。送信機が送信する信号が第２受信機に結合されており、妨害を生じさせる場合、自動利得制御モジュールは妨害から生じる高い信号強度により適用される利得を低下しないことが好ましい。従って、送信インターバルが完了すると、自動利得制御モジュールが定める利得は正常な動作または定常状態の動作に適したレベルとなる。
【００１２】
本発明の別の図示された実施例によれば、送信インターバルの開始を予想するのに制御ロジックが使用される。しかしながら、これに応答して発生される制御信号は送信インターバル中に第２受信機に関連するアンテナから第２受信機を電気的にアイソレートするスイッチをドライブするのに使用される。
【００１３】
本発明の更に別の図示された実施例によれば、送信機のアクティブなインターバル、すなわち送信インターバルを予想し、これらインターバル中に受信機を不感状態にするための制御信号をプロセッサを介して発生する通信プロトコル（例えば時間分割マルチアクセス（ＴＤＭＡ）技術）プログラムが使用される。
【００１４】
本発明は、例えばセルラー電話ターミナル内の同じ位置に設けられたＧＰＳ受信機がＴＤＭＡ送信機とほとんど同時に作動するようにできる。従って、ＧＰＳ受信機のアンテナとセルラー電話アンテナとの間のアンテナのアイソレーションが最小となっている応用例では、ＧＰＳ受信機の入力端において自動利得制御モジュールによって定められる利得の乱れによってＧＰＳ受信機の動作が深刻に阻害され得る。
【００１５】
添付図面を参照し、本発明の特定の実施例の次の詳細な説明を読めば、本発明の別の特徴についてより容易に理解できよう。
【００１６】
（好ましい実施例の詳細な説明）
本発明は種々に変形したり、または別の形態とし得るが、添付図面に本発明の特定の実施例を例示し、以下、これら実施例について詳細に説明する。しかしながら、本明細書に開示する特定の形態に本発明を限定する意図はなく、むしろ本発明は特許請求の範囲に記載された発明の要旨および範囲内に入るすべての変形例、均等物および代替物をカバーするものである。図面の記載において、同様な参照番号は同様な要素を示す。
【００１７】
図解のため（図解のみに限定されるものではない）、以下、ＧＰＳ受信機およびＴＤＭＡ技術を使ったセルラー受信機（例えば通信工業協会（ＴＩＡ）／電子工業協会（ＥＩＡ）１３６または高度デジタル移動電話サービス（ＤＡＭＰＳ）規格）とを備えた無線通信機に関連し、送信機と同じ位置に設けられた受信機の動作を維持するためのシステムおよび方法について説明する。従って、本発明に係わるシステムおよび方法は、送信機と同じ位置に設けられた受信機が、送信機の送信した受信機からの妨害を受けやすい通信デバイスに一般に適用できると理解すべきである。
【００１８】
図２は、本発明の第１実施例に係わる、セルラートランシーバと同じ位置に設けられたＧＰＳ受信機の動作を維持するためのシステムおよび方法を示すブロック図である。図２に示されるように無線通信機４０はセルラートランシーバ４４と同じ位置に設けられたＧＰＳ受信機４２を含む。このセルラートランシーバ４４は送信機能と受信機能の双方を含み、これら機能は当業者であれば理解できるように、別個の部品として具現化できる。セルラートランシーバ４４はＴＤＭＡ無線アクセス技術を使って通信するようになっている。しかしながら、本発明の原理から逸脱することなく、別の無線アクセス技術を使用することもできると理解すべきである。無線アクセス技術に関連する通信プロトコルは、セルラートランシーバ４４が送信を行わない周期的インターバルを含むことが好ましい。
【００１９】
無線通信機４０は更にセルラーアンテナ４６と、ＧＰＳアンテナ４８とを含み、これらアンテナは互いに不完全に分類されている。例えば同一ハウジング内に多数の無線バンドアンテナが共存している場合、アンテナのアイソレーション（分類）は一般に１０ｄＢ〜１５ｄＢの範囲内である。セルラートランシーバ４４が２６ｄＢのパワーレベルで送信し、アンテナ４６と４８とのセパレーションが１０ｄＢ〜１５ｄＢでしかないと仮定した場合、送信されるＴＤＭＡ信号は１０ｄＢ〜１６ｄＢのパワーレベルでＧＰＳ受信機４２の入力端に結合し得る。このように重ねられたＴＤＭＡ信号はＧＰＳ受信機４２におけるＧＰＳ信号の受信および復号化を妨害することがある。
【００２０】
先に述べた、セルラー送信機４４によって生じ得るＧＰＳ信号受信の妨害の性質を簡単に検討することが役に立つであろう。図８を参照すると、ＴＤＭＡフレームは送信インターバルと、移動アシストハンドオフ（mobil assisted handoff ＭＡＨＯ）インターバルと、受信インターバルとを含む。送信インターバル中にセルラートランシーバ４４が送信するＴＤＭＡ信号はＧＰＳアンテナ４８を通してＧＰＳ受信機４２の入力端に結合することがあり、このような結合によってＧＰＳ受信機４２におけるＧＰＳ信号の受信および復号化が乱されることがある。しかしながら、更に、望ましいＧＰＳ信号と望ましくないＴＤＭＡ信号との組み合わせである、ＧＰＳ受信機の入力端に印加される信号は、ＴＤＭＡ信号が加えられることにより、一般にパワーレベルが高くなる。この結果、ＡＧＣモジュール５２は乗算器５４を通してＧＰＳ受信機４２の入力端において信号に加えられる利得を低下するであろう。
【００２１】
再び図８を参照すると、ここには従来のＴＤＭＡフレーム内の送信インターバルに続く、ＭＡＨＯインターバルおよび受信インターバルが示されている。送信インターバル中、ＴＤＭＡ送信機はアクティブであるが、ＴＤＭＡ送信機は一般にＴＤＭＡ受信機がアクティブであるＭＡＨＯインターバルおよび受信インターバル中に一般にアクティブではない。ＭＡＨＯインターバルは現在のセル内の音声チャンネルの信号強度が過度に微弱となった場合に、ハンドオフ用の潜在的候補局を識別するために、隣接セルのセットアップチャンネルの信号強度をモニタするのに使用される。受信インターバルは別の当事者とフルデュプレクス通信をするために、送信インターバルと相補的となっている。従って、セルラートランシーバ４４はＭＡＨＯインターバルまたは受信インターバルのいずれかの間では送信せず、ＧＰＳアンテナ４８を介したＴＤＭＡ信号の結合に起因するＧＰＳ受信機の妨害を終了させる。それにも拘わらず、セルラートランシーバ４４から送信されるＴＤＭＡ信号の残留効果が残ることがある。更に図８は、単一のＴＤＭＡフレームを示している。セルラートランシーバ４４は複数の連続するＴＤＭＡフレームの各々の一部の間で送受信を行うことができる。更に、各ＴＤＭＡフレームはトランシーバが送信も受信もしない時間を含むことができる。
【００２２】
送信インターバルの終了時に乗算器５４を介してＧＰＳ受信機４２の入力端において信号に対して適用される利得は、望ましくないＴＤＭＡ信号による信号強度が高くなっているので、ＡＧＣモジュール５２によって一般に低下される。従って、セルラー送信機４４によって送信されるＴＤＭＡ信号からの妨害がＭＡＨＯインターバルの開始時に終了したとしても、ＧＰＳ受信機４２は乗算器５４を介しＡＧＣモジュール５２によりＧＰＳ信号に対して適用される利得が過度に低くなっているため、ＧＰＳ信号を復号化することができないことがある。ＡＧＣモジュール５２は、ＧＰＳ信号と結合されたＴＤＭＡ送信信号の混合と比較して、ＧＰＳ信号の低い信号強度を検出した時乗算器５４に適用される利得を上昇させ始める。それにも拘わらず、乗算器５４に適当な利得が適用される前に若干のレイテンシー、すなわち遅延が生じ、これによって送信インターバルの後のＭＡＨＯインターバルおよび可能性として受信インターバル（またはトランシーバ４４による送信を行わないインターバル）中の所定の時間中にＧＰＳ受信および復号化を乱すことがある。
【００２３】
従って、セルラートランシーバ４４からの結合されたＴＤＭＡ信号が存在しないことをＡＧＣモジュール５２が検出し利得を調節した後で、ＭＡＨＯおよび受信インターバル（または送信を行わない他のインターバル）中にＧＰＳ受信および復号化を成功裏に行うことができることが理解できよう。従って、ＧＰＳ動作が実行できるインターバルは、ＡＧＣモジュール５２の感度および応答性、ならびにＴＤＭＡフレームのＭＡＨＯインターバルおよび受信インターバルの長さに応じて決まる。不幸なことに、ＡＧＣモジュール５２によって適用される利得が次のＴＤＭＡフレームの送信インターバルの開始直前になってＧＰＳ受信および復号化を可能とするのに十分なレベルまで高くなることがあり、このレベルの上昇は実用的なＧＰＳサービスを提供するのに十分な長さにすることができないことがある。
【００２４】
本発明は、セルラートランシーバ４４が送信したＴＤＭＡ無線信号に応答自在なＡＧＣ制御ロジック５６を使用することにり、ＧＰＳ受信機４２の動作を維持しようとするものである。より詳細には、ＡＧＣ制御ロジック５６は送信インターバルの開始を予想するようにこの送信信号をモニタする。この結果、ＡＧＣ制御ロジック５６は送信インターバルの開始を識別し、制御信号を発生する。この制御信号は乗算器５４を介してＧＰＳ受信機４２の入力信号に対して適用される利得値を保持するよう（すなわち利得が低下するのを防止するよう）ＡＧＣモジュール５２に加えられる。従って、ＧＰＳ受信機４２はセルラートランシーバ４４が送信するＴＤＭＡ信号の作用に不感状態にされる。ＡＧＣ制御ロジック５６は送信インターバルの終了を判断するように、セルラートランシーバ４４が送信するＴＤＭＡ無線信号をモニタし続ける。ＭＡＨＯおよび受信インターバル（およびトランシーバ４４が送信を行わない他のインターバル）中にＡＧＣ制御ロジック５６は制御信号の発生を終了させ、ＧＰＳ信号の強度に従って適用される利得をＡＧＣモニタ５２が調節できるようにする。この方法は、例えば図８に示されており、図８では送信インターバル中にＡＧＣ制御信号は高レベルにドライブされ、ＭＡＨＯおよび受信インターバル中は低レベルにドライブされる。
【００２５】
ＴＤＭＡ無線信号をＤＣ値に変換するのに、好ましくは整流器５８が使用される。このＤＣ値はその後、アナログ−デジタル（Ａ／Ｄ）コンバータ６２によってデジタルに変換される。次に、ＡＧＣ制御ロジック５６はこのＡ／Ｄコンバータ６２から出力されるデジタル情報を処理するよう、デジタルロジックとして実現してもよい。
【００２６】
ＧＰＳ受信および復号化は依然として送信インターバル中にセルラートランシーバ４４によって送信されるＴＤＭＡ信号からの妨害を受けることに留意されたい。それにも拘わらず、連続するＴＤＭＡフレーム中にＴＤＭＡ妨害信号を周期的に印加することによるＡＧＣモジュール５２の発振を防止することにより、ＭＡＨＯおよび受信インターバル中にＧＰＳの動作を成功裏に維持できる。
【００２７】
図３Ａは本発明の第２実施例によりセルラートランシーバと同じ位置に設けられたＧＰＳ受信機の動作を維持するためのシステムおよび方法を示すブロック図である。図３Ａに示された無線通信機７０は図２の無線通信機４０に実質的に類似している。しかしながら、ＡＧＣ制御ロジック５６を使用する代わりにセルラートランシーバ４４が送信するＴＤＭＡ無線信号に応答自在なＲＦスイッチ制御ロジック７２が使用されている。より詳細には、このＲＦスイッチ制御ロジック７２は送信インターバルの開始を予想するように、この送信信号をモニタしている。この結果、ＲＦスイッチ制御ロジック５６は送信インターバルの開始を識別し、制御信号を発生しており、この制御信号がスイッチ７４へ印加されると、このスイッチ７４が開放されるようになっている。スイッチ７４とＧＰＳ受信機４２とは直列に接続されているので、スイッチ７４が開放状態にある時、ＧＰＳ受信機４２はＧＰＳアンテナ４８から電気的に分離される。
【００２８】
従って、ＧＰＳ受信機４２およびＡＧＣモジュール５２は、スイッチ７４が開放状態にある時にセルラートランシーバ４４が送信するＴＤＭＡ信号の作用に不感状態である。特にセルラートランシーバ４４が極めて高いパワーレベルで送信する際のＴＤＭＡ送信インターバル中は、ＧＰＳ受信機４２を完全に分離することが望ましい。ＲＦスイッチ制御ロジック７２は送信インターバルの終了を判断するよう、セルラートランシーバ４４が送信するＴＤＭＡ無線信号をモニタし続ける。ＭＡＨＯおよび受信インターバル中にＲＦスイッチ制御ロジック７２は制御信号の発生を終了させ、スイッチ７４を閉じることができるようにし、よってＧＰＳ受信機４２とＧＰＳアンテナ４８とを電気的に再接続する。この方法は、例えば図８に示されており、ここではＲＦスイッチ制御信号は送信インターバル中に高レベルにドライブされ、ＭＡＨＯおよび受信インターバル中は低レベルにドライブされる。
【００２９】
図３Ｂには、図３Ａのスイッチ７４の別の構造が示されている。図３Ｂの実施例では、スイッチ４７’が閉じられた時に、ＧＰＳアンテナ４８がアースに短絡されるよう、ＧＰＳアンテナ４８とＧＰＳ受信機４２との間にスイッチ７４’が並列に接続されている。図３Ａのスイッチ７４の動作と図３Ｂのスイッチ７４’の動作とは逆となることに留意されたい。すなわち図３ＢではＲＦスイッチ制御ロジック７２が発生する制御信号によりスイッチ７４’を閉じることにより、ＧＰＳ受信機４２とＡＧＣモジュール５２とは不感状態にされる。これとは逆に、図３ＡではＲＦスイッチ制御ロジック７２が発生する制御信号によりスイッチ７４が開放されることにより、ＧＰＳ受信機４２とＡＧＣモジュール５２とが不感状態にされる。
【００３０】
図４は、本発明の第３実施例に係わる、セルラートランシーバと同一位置に設けられたＧＰＳ受信機の動作を維持するためのシステムおよび方法を示すブロック図である。図４に示される無線通信機８０は図２のＡＧＣ制御ロジック５６と図３Ａ〜３ＢのＲＦスイッチ制御ロジック７２の双方を使用している。スイッチ７４を作動させる応答時間とＡＧＣモジュール５２を作動させる応答時間を変えることができ、ＡＧＣ制御ロジック５６の応答時間とＲＦスイッチ制御ロジック７２の応答時間も変えることができるので、この実施例は２つの手段のいずれかを早くすることにより、送信されるＴＤＭＡ信号の作用に対してＧＰＳ受信機４２とＡＧＣモジュール５２とを不感状態にすることを保証できる。図４のスイッチ７４は図３Ａを参照してこれまで説明したように、ＧＰＳ受信機４２と直列に構成されているが、このスイッチ７４は図３Ｂを参照してこれまで説明し、図示したように、ＧＰＳアンテナ４８とアースとの間に構成できることも理解すべきである。
【００３１】
図５は本発明の第４実施例に係わる、セルラートランシーバと同一位置に設けられたＧＰＳ受信機の動作を維持するためのシステムおよび方法を示すブロック図である。この無線通信機９０は図２、３Ａ、３Ｂおよび４の実施例に類似したアーキテクチャに基づくものである。しかしながら、これと対照的に、無線通信機９０はＡＧＣ制御ロジック５６も、ＲＦ制御ロジック７２も含んでいない。ＡＧＣモジュール５２の動作はコンピュータで読み取り可能な記憶媒体またはメモリ９４と通信するプロセッサ９２を使用することによって維持される。従って、本発明は命令実行システムにより、またはこのシステムに関連して使用するための媒体内に具現化された、コンピュータが使用可能な、すなわちコンピュータが読み取りできるプログラムコード手段を有する、コンピュータが使用できるかまたはコンピュータが読み取りできる記憶媒体に記憶された、コンピュータプログラム製品の形態をとり得る。本明細書に関連し、コンピュータが使用できるか、またはコンピュータで読み取りできる媒体は命令実行システム、装置またはデバイスにより、またはこれに関連して使用するためのプログラムを含むか、記憶するか、伝送させるか、伝搬させるか、またはトランスポートできる任意の手段でよい。
【００３２】
コンピュータが使用できるか、またはコンピュータが読み取りできる媒体とは、例えば電子、磁気、光、電磁波、赤外線、または半導体システム、装置、デバイス、または伝搬媒体とすることができるが、これらに限定されるものではない。コンピュータが読み取りできる媒体のより詳細な例（全てのリストではない）として次のものが挙げられる。すなわち１つ以上のワイヤーを有する電気的コネクション、ポータブルコンピュータディスク、ランダムアクセスメモリ（ＲＡＭ）、リードオンリーメモリ（ＲＯＭ）、消去可能なプログラマブルリードオンリーメモリ（ＥＰＲＯＭまたはフラッシュメモリ）、光ファイバーおよびポータブルコンパクトディスクリードオンリーメモリ（ＣＤＲＯＭ）が挙げられる。コンピュータが使用できるか、またはコンピュータが読み取りできる媒体は、プログラムをプリントできる紙または他の適当な媒体でもよく、例えば紙または他の媒体を光学的にスキャンすることによってプログラムを電子的に捕捉できた場合に、プログラムを編集、解読または必要な場合に適当な方法で処理し、コンピュータメモリに記憶できることに留意されたい。
【００３３】
メモリ９４は、通信セッションを実現する際にセルラートランシーバ４４の動作を制御する通信プロトコルプログラム９６を含む。通信プロトコルは使用される特定の無線アクセス技術、ＴＤＭＡに対応することを思い出していただきたい。従って、この通信プロトコルプログラム９６はセルラートランシーバ４４が受信する通話設定情報に応答自在であり、トランシーバ４４はＴＤＭＡの場合、トランシーバ４４が送信できる各ＴＤＭＡフレーム内の特定の時間スロットすなわちインターバルを識別する。
【００３４】
従って、通信プロトコルプログラム９６はＴＤＭＡフレーム内でセルラートランシーバによる送信をするのに移用されるインターバル、すなわちタイムスロットのこの知識を利用し、これら送信インターバルを識別しまた対応する制御信号をプロセッサ９２から発生させることができる。この制御信号を次にＡＧＣモジュール５２へ印加し、上記のように利得値を保持（すなわち利得値が低下するのを防止）することができる。
【００３５】
図６は、本発明の第５実施例に係わる、セルラートランシーバと同じ位置に設けられたＧＰＳ受信機の動作を維持するためのシステムおよび方法を示すブロック図である。図６に示された無線通信機１１０は図５の無線通信機９０にほぼ類似している。しかしながら、ＡＧＣモジュール５２によって適用される利得を保持するための、プロセッサ９０から発生される制御信号を使用する代わりに、ＧＰＳ受信機４２と直列に構成されたスイッチ７４に制御信号が加えられる。送信インターバル中に制御信号はスイッチ７４を開放させ、ＧＰＳアンテナ４８からＧＰＳ受信機４２を電気的にアイソレートする。図６のスイッチ７４はＧＰＳ受信機４２と直列に構成されているが、これとは異なり、図３Ｂを参照してこれまで説明し、図示したように、ＧＰＳアンテナ４８とアースとの間にスイッチ７４を設けてもよい。
【００３６】
最後に、図７は本発明の第６実施例に係わるセルラートランシーバと同一位置に設けられたＧＰＳ受信機の動作を維持するためのシステムおよび方法を示すブロック図である。図４に示された無線通信機１１０は、２つの制御信号を使用する。一方の信号は図５を参照してこれまで説明したように、プロセッサ９２によりＡＧＣモジュールへ与えられる信号であり、第２の信号は図６を参照してこれまで説明したように、プロセッサ９２によりスイッチ７４へ与えられる信号である。スイッチ７４を動作させる応答時間とＡＧＣモジュール５２を動作させる応答時間は変えることができるので、本実施例は２つの手段のいずれが速いかによって、送信されたＴＤＭＡ信号の作用に対してＧＰＳ受信機４２とＡＧＣモジュール５２とが不感状態となるように保証できる。図７におけるスイッチ７４はＧＰＳ受信機４２と直列に構成されているが、これとは異なり、図３Ｂを参照してこれまで説明し、図示したように、ＧＰＳアンテナ４８とアースとの間にスイッチ７４を設けることもできる。
【００３７】
本発明の原理はＧＰＳ受信機４２に対して適用されるものとして、以上で本発明の原理について説明した。しかしながら、これら原理は同じ位置に設けられた送信機が発生する信号からの妨害を受けやすく、送信インターバル中に不感状態とすることによって利点が得られる別の受信機のタイプに同じように適用できると理解すべきである。かかる一例としてブルートゥース受信機が挙げられる。ブルートゥースとは、短い距離、すなわちアドホックネットワークを介して無線によりポータブル電子デバイスを接続させ、通信できるようにする、２.４５ＧＨｚ周波数バンドにおけるユニバーサル無線インターフェースのことである。ブルートゥース技術はコードレス、すなわち移動電話、モデム、ヘッドセット、ＰＤＡ、コンピュータ、プリンタ、プロジェクタおよびローカルエリアネットワークのようなデバイスおよびシステム間のワイヤー、ケーブルおよびコネクタをなくすことを一般に目的とするものである。このブルートゥースインターフェースに関するより詳細な情報は、ジャープ・ハートセン氏による論文「ブルートゥース−アドホックに無線接続できるようにするためのユニバーサルな無線インターフェース」、エリクソンレビュー、第３号、１９９８年に記載されており、本明細書ではこの論文を参考例として援用する。
【００３８】
詳細な説明を終えるに当たり、本発明の原理から実質的に逸脱することなく、好ましい実施例について多くの変形および変更が可能であることに留意すべきである。かかるすべての変形例および変更例は特許請求の範囲に記載されている発明の範囲内に含まれるものである。
【図面の簡単な説明】
【図１】  セルラートランシーバと同一位置に設けられたＧＰＳ受信機を含む従来の無線通信機のブロック図である。
【図２】  本発明の第１実施例に係わるセルラートランシーバと同一位置に設けられたＧＰＳ受信機の動作を維持するためのシステム例を示すブロック図である。
【図３Ａ】  本発明の第２実施例に係わるセルラートランシーバと同一位置に設けられたＧＰＳ受信機の動作を維持するためのシステム例を示すブロック図である。
【図３Ｂ】  図３Ａのスイッチのための別の構造を示すブロック図である。
【図４】  図２の実施例の特徴と図３Ａの実施例の特徴とを組み合わせた、本発明の第３実施例に係わるセルラートランシーバと同一位置に設けられたＧＰＳ受信機の動作を維持するためのシステム例を示すブロック図である。
【図５】  本発明の第４実施例に係わるセルラートランシーバと同一位置に設けられたＧＰＳ受信機の動作を維持するためのシステム例を示すブロック図である。
【図６】  本発明の第５実施例に係わるセルラートランシーバと同一位置に設けられたＧＰＳ受信機の動作を維持するためのシステム例を示すブロック図である。
【図７】  図５の実施例の特徴と図６の実施例の特徴とを組み合わせた、本発明の第３実施例に係わるセルラートランシーバと同一位置に設けられたＧＰＳ受信機の動作を維持するためのシステム例を示すブロック図である。
【図８】  図２〜７の実施例に関連する信号タイミング図を示す。
【図１】
0004553538.tif 000002
【図２】
0004553538.tif 000003
【図３Ａ】
0004553538.tif 000004
【図３Ｂ】
0004553538.tif 000005
【図４】
0004553538.tif 000006
【図５】
0004553538.tif 000007
【図６】
0004553538.tif 000008
【図７】
0004553538.tif 000009
【図８】
0004553538.tif 000010